(57)【特許請求の範囲】
【請求項１】
揮散性薬剤を内部に収容し、かつ、口部を下方に向けた倒立型の容器と、揮散性薬剤流下路を備えてこの容器の口部を閉止し容器を密閉するキャップと、前記容器の口部の下方位置に配設される揮散体とを備え、前記キャップには揮散性薬剤流下路と同芯状で、かつ、下方開放の筒体で構成されてこのキャップから一体的に突設された保持筒が設けられていると共に、この保持筒には揮散性薬剤を前記揮散体に供給する供給芯を保持するための供給芯保持筒が前記保持筒の内周壁にその外側面を摺接させて上下動自在に内嵌合され、この供給芯保持筒の内部上端部には閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体が設けられていることを特長とする倒立型揮散性薬剤発散器。
【請求項２】
揮散性薬剤を内部に収容し、かつ、口部を下方に向けた倒立型の容器と、揮散性薬剤流下路を備えてこの容器の口部を閉止し容器を密閉するキャップと、前記容器の口部の下方位置に配設される揮散体とを備え、前記キャップには揮散性薬剤流下路と同芯状で、内径がこの揮散性薬剤流下路よりも大径に寸法設定され、かつ、下方開放の筒体で構成されてこのキャップから一体的に突設された保持筒が設けられていると共に、この保持筒には揮散性薬剤を前記揮散体に供給する供給芯を保持するための供給芯保持筒が前記保持筒の内周壁にその外側面を摺接させて上下動自在に内嵌合され、この供給芯保持筒の内部上端の内周面には閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体が設けられていることを特長とする倒立型揮散性薬剤発散器。
【請求項３】
揮散性薬剤を内部に収容し、かつ、口部を下方に向けた倒立型の容器と、揮散性薬剤流下路を備えてこの容器の口部を閉止し容器を密閉するキャップと、前記容器の口部の下方
位置に配設される揮散体とを備え、前記キャップの天板の中央には周方向に断続して複数個の揮散性薬剤流下路が設けられ、これら複数個の揮散性薬剤流下路の中心と同芯状で、下方開放の筒体で構成されてこのキャップから一体的に突設された保持筒が設けられていると共に、この保持筒には肉厚が前記揮散性薬剤流下路幅と同等に寸法設定され、かつ、揮散性薬剤を前記揮散体に供給する供給芯を保持するための供給芯保持筒が前記保持筒の内周壁にその外側面を摺接させて上下動自在に内嵌合され、この供給芯保持筒の上端部分を、閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体としてあることを特長とする倒立型揮散性薬剤発散器。
【請求項４】
供給芯保持筒は、その下端縁から、前記保持筒の周壁外周面に設けられた雄ねじに螺合される雌ねじを内周面に備えた摘み部か、若しくは前記保持筒の周壁外周面と容器軸線方向に沿って相対スライドして前記揮散性薬剤流下路流下口を開閉する二位置切り替え方式の摘み部の何れかが、上方へ向かって一体に備わっている請求項１〜３のいずれかに記載の倒立型揮散性薬剤発散器。
【請求項５】
揮散体は、容器の肩部分に対して着脱自在に構成され、かつ前記キャップ及び揮散性薬液を供給する前記供給芯の周囲を囲う揮散皿に配置収容されている請求項１〜４の何れかに記載の倒立型揮散性薬剤発散器。
【発明の詳細な説明】
【０００１】
【発明の属する技術分野】
本発明は、主としてトイレや室内などで、ボトルを倒立させた状態で、主として芳香剤などの揮散性のある薬剤を揮散させるようにした倒立型の揮散性薬剤発散器に関する。
【０００２】
【従来の技術】
従来、この種室内などで揮散性のある薬剤（芳香剤）を揮散させるようにした芳香剤容器としては、正立型が一般的であった。正立型芳香剤容器は、例えば図９に示されるように、芳香剤０１を収容した容器０２内に揮散部材（濾紙）０３を下端が容器内底面に接するまで深く収納し、上端部分を空気と接触するように容器の口部０４から上方に突出させて構成されている。このようにすることで、毛細管現象を利用して容器０２内の芳香剤０１を揮散部材０３の上端部分まで吸いあげ、そして大気中に揮散させている。
【０００３】
一方、倒立型芳香剤容器としては保形性のあるゲルタイプのものが提案されている。
【０００４】
そして、このような室内などで用いられる芳香剤容器のポイントは、正立型にしても倒立型にしても、芳香剤が定常的に揮散されることが、その機能上大切である。
【０００５】
【発明が解決しようとする課題】
しかし、正立型の芳香剤容器は、揮散部材の毛細管現象によって芳香剤を吸いあげている。したがって、揮散部材の目詰まりなどによって効率的な芳香剤の吸いあげができなくなってしまう欠点がある。特に容器の丈が長く、しかも芳香剤が残り少なくなってきたときなどには、高い位置にまで上昇しなければならない。その結果、顕著にこの現象が現れ、最後まで芳香剤を使い切ることができない欠点がある。
【０００６】
また、倒立型の場合、適用される芳香剤がゲルタイプの場合は、保形性があるが、使用途中にゲル表面の乾燥により芳香剤の揮散効果がおち、液体を用いた場合は、液漏れ防止という点では、特別の考慮が払われず、容器口部の狭いすき間から芳香剤がしみ出してくることは考えにくいため、技術者の常識として、液止めの完ぺき性を意図する考えは全くなかった。
【０００７】
ところで、室内などで芳香剤を揮散させるようにした芳香剤容器は、種々の試験結果から正立型は時間の経過につれて定常的な揮散が困難であるが、倒立型は定常的な揮散が可能で、安定した香気力価が得られるという結果を得た。つまり、正立型のものに比べて倒立型のものが優れていることが分かった。しかし、実際には、このような倒立型芳香剤容器は現在市販されていない。
【０００８】
ただ、類似の提案があるのは事実である。すなわち、実開昭６１−１９４５３６号公報に記載された提案である。ここに開示された技術は、液体芳香剤を収容し、口部先端部に含浸材を設けた容器本体を倒立させて、受皿に配置した含浸体にこの含浸材を接触させるものである。しかし、この構造によると、流通時に口部と含浸材とにわたりシールを施す必要上、このシールが香料液により侵されて液洩れを生じるおそれがある。また、流通時に不測の外力が働き、シール材が損傷して芳香剤が漏洩するおそれがある。加えて、使用中の芳香剤の揮散によって容器本体の内圧が低くなった時の外気のとり入れが、含浸材を通してその細孔により強制的に行われる構造になっていた。ところで、芳香剤は液体であるために、この細孔は表面張力によって強固に塞がれる傾向があって外気の吸入は困難になる。その結果、定常的な芳香の揮散は到底望めなくなるなど、種々の問題を内在させている。
【０００９】
そこで、本発明者らは、芳香剤の倒立型容器を、そのまま芳香剤の倒立型容器として転用することができないかを種々模索してみた。しかし、残念ながら、現実には全く適していないことが分かった。その理由は、上記のとおり、倒立型容器は、その口部の機密性が低く、液漏れが生じやすいからである。特に液体芳香剤は、非常に高レベルの液止め機構が要求される。
【００１０】
斯かる観点に立ち本発明は、定常的な揮散性が優れた倒立型の容器を採用して、終始安定した揮散機能を発揮でき、芳香剤に限らず更に広く揮散性のある薬剤に適用でき、併せて高い液止め効果を得ることを課題とするもので、本発明者らは、上記の課題を達成するために鋭意研究を重ねた結果、特定のキャップを備えた倒立型揮散性薬剤発散器を用いることにより、上記の課題をうまく解決することができる倒立型揮散性薬剤発散器を得ることに成功し、本発明を完成するに至ったので、ここに提案する。
【００１１】
【課題を解決するための手段】
すなわち、請求項１記載の倒立型揮散性薬剤発散器は、揮散性薬剤を内部に収容し、かつ、口部を下方に向けた倒立型の容器と、揮散性薬剤流下路を備えてこの容器の口部を閉止し容器を密閉するキャップと、前記容器の口部の下方位置に配設される揮散体とを備え、前記キャップには揮散性薬剤流下路と同芯状で、かつ、下方開放の筒体で構成されてこのキャップから一体的に突設された保持筒が設けられていると共に、この保持筒には揮散性薬剤を前記揮散体に供給する供給芯を保持するための供給芯保持筒が前記保持筒の内周壁にその外側面を摺接させて上下動自在に内嵌合され、この供給芯保持筒の内部上端部には閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体が設けられたものである。
【００１２】
【作用】
この手段によれば、容器の口部を閉止するキャップに供給芯保持筒を介して設けられた栓体により、閉栓時には、これが前記揮散性薬剤流下路に嵌合することによって、この揮散性薬剤流下路の気密を高度に保つ。供給芯保持筒を操作して栓体を揮散性薬剤流下路から離間させると、容器内の揮散性薬剤は、揮散性薬剤流下路から自由落下しつつ供給芯保持筒内の供給芯にしみ込む。そして、これを潤しながら容器の口部下方位置の揮散体にし
み込んでゆく。したがって、揮散体の内部は揮散性薬剤が飽和状態になり、大気中に揮散される。揮散体における揮散性薬剤の揮散に応じて、容器内の揮散性薬剤は揮散性薬剤流下路から供給芯を介して揮散体に供給される。したがって、容器内の揮散性薬剤は、従来と同様に、大気中に徐々に揮散されてゆく。以上の動作は容器内の揮散性薬剤が無くなるまで繰り返される。
【００１３】
また、本発明の特定の構造によっては、容器内の揮散性薬剤は、自由落下によって揮散性薬剤流下路から供給芯を介して揮散体へしみ込んでゆくので、揮散性薬剤の移動すべき距離は経時的に変わることがない。この点が、従来の正立型芳香剤容器、つまり芳香剤が毛細管現象によって揮散部材（濾紙）を上昇するもの、と全く違ったところである。
【００１４】
開栓時は、この供給芯保持筒が保持筒の周壁にその外側面を摺接することによって、容器内部とキャップ内部との液密が高度に保たれる。したがって、揮散性薬剤流下路から供給芯を介して揮散体へ流下する揮散性薬剤が、不用意にキャップ外部へしみ出すのをうまく阻止する。しかし、揮散が進んで容器内部が陰圧になると、容器内外の圧力差によって、大気がこの供給芯保持筒と前記保持筒の摺接面から瞬間的に吸い込まれる。その結果、容器内部は再び大気圧と同圧となり、容器内の揮散性薬剤の流下は途切れなくスムースに行われる。
この効果を奏している圧力調整機構は、液の表面張力により形成された液面と供給芯との接点の有無にかかわらず、容器構造内に存在する空間によって構成される。
【００１５】
【発明の効果】
したがって、本発明は次の効果を有する。
容器内の揮散性薬剤は、自由落下によってキャップの揮散性薬剤流下路から供給芯を介して揮散体へ供給される。したがって、容器の口元に挿入された揮散部材（濾紙）を芳香剤が毛細管現象によって上昇する従来の正立型芳香剤容器と違って、最後まで揮散効率が低下することなく、揮散性薬剤の定常的な揮散を効果的に発揮させることができる。
【００１６】
また、従来の正立型芳香剤容器では、容器内の芳香剤が少なくなればなるほど、芳香剤は高い位置まで上昇する必要がある。また、時間が経つにつれて揮散部材（濾紙）の目詰まりなどで上昇速度が低下する。その結果、この従来の正立型芳香剤容器では、芳香成分の揮散が低下したり、芳香剤が容器の底に残留する。これに反して本発明に係る倒立型揮散性薬剤発散器は、容器内の揮散性薬剤の移動すべき距離は終始変わらない。したがって、倒立型揮散性薬剤発散器内の揮散性薬剤の残量のいかにかかわらず、流下がスムーズになる。また、揮散性薬剤はすべて前記揮散性薬剤流下路に集中して減少してゆく。したがって、揮散せずに容器内に残留する揮散性薬剤がなくなり、最後まで使い切ることができる。
【００１７】
併せて、前記揮散性薬剤流下路を密閉するキャップの存在により、容器の口部から露出する含浸材を単にシールする従来のものに比べて、流通時であっても不用意に揮散性薬剤が漏洩するおそれはなくなった。
【００１８】
更に、倒立型という、揮散性薬剤発散器としては、新規な形態であるために、新たな美装性を考案することが可能になり、かかる面からの付加価値を格段に高めることが可能になった。
【００１９】
この発明において、請求項２に記載されたように、揮散性薬剤を内部に収容し、かつ、口部を下方に向けた倒立型の容器と、揮散性薬剤流下路を備えてこの容器の口部を閉止し容器を密閉するキャップと、前記容器の口部の下方位置に配設される揮散体とを備え、前記キャップには揮散性薬剤流下路と同芯状で、内径がこの揮散性薬剤流下路よりも大径に
寸法設定され、かつ、下方開放の筒体で構成されてこのキャップから一体的に突設された保持筒が設けられていると共に、この保持筒には揮散性薬剤を前記揮散体に供給する供給芯を保持するための供給芯保持筒が前記保持筒の内周壁にその外側面を摺接させて上下動自在に内嵌合され、この供給芯保持筒の内部上端の内周面には閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体が設けられた構成を採用することができる。
【００２０】
このように、キャップには揮散性薬剤流下路と同芯状で、内径がこの揮散性薬剤流下路よりも大径に寸法設定され、かつ、下方開放の筒体で構成されてこのキャップから一体的に突設された保持筒が設けられていると共に、この保持筒には揮散性薬剤を前記揮散体に供給する供給芯を保持するための供給芯保持筒が前記保持筒の内周壁にその外側面を摺接させて上下動自在に内嵌合され、この供給芯保持筒の内部上端の内周面には、閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体が設けられた構成は、閉栓時の確実な液止めと、開栓時の定常的な内容液の流出および空気の流通を同時に可能とする。
【００２１】
また、この発明において、請求項３に記載されたように、揮散性薬剤を内部に収容し、かつ、口部を下方に向けた倒立型の容器と、揮散性薬剤流下路を備えてこの容器の口部を閉止し容器を密閉するキャップと、前記容器の口部の下方位置に配設される揮散体とを備え、前記キャップの天板の中央には周方向に断続して複数個の揮散性薬剤流下路が設けられ、これら複数個の揮散性薬剤流下路の中心と同芯状で、下方開放の筒体で構成されてこのキャップから一体的に突設された保持筒が設けられていると共に、この保持筒には肉厚が前記揮散性薬剤流下路幅と同等に寸法設定され、かつ、揮散性薬剤を前記揮散体に供給する供給芯を保持するための供給芯保持筒が前記保持筒の内周壁にその外側面を摺接させて上下動自在に内嵌合され、この供給芯保持筒の上端部分を、閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体としてある構成を採用することができる。
【００２２】
このように、キャップの天板の中央には周方向に断続して複数個の揮散性薬剤流下路が設けられ、これら複数個の揮散性薬剤流下路の中心と同芯状で、下方開放の筒体で構成されてこのキャップから一体的に突設された保持筒が設けられていると共に、この保持筒には肉厚が前記揮散性薬剤流下路幅と同等に寸法設定され、かつ、揮散性薬剤を前記揮散体に供給する供給芯を保持するための供給芯保持筒が前記保持筒の内周壁にその外側面を摺接させて上下動自在に内嵌合され、この供給芯保持筒の上端部分を、閉栓時に前記揮散性薬剤流下路に嵌合して、揮散性薬剤の流下を阻止し、開栓時に前記揮散性薬剤流下路から離間すると共に前記供給芯を介して揮散性薬剤の流下を許す栓体としてある構成は、供給芯保持筒が栓体を兼用でき、併せて閉栓時の確実な液止めと、開栓時の定常的な内容液の流出および空気の流通を同時に可能とする。
【００２３】
この発明において、供給芯保持筒は、その下端縁から、前記保持筒の周壁外周面に設けられた雄ねじに螺合される雌ねじを内周面に備えた摘み部か、若しくは前記保持筒の周壁外周面と容器軸線方向に沿って相対スライドして前記揮散性薬剤流下路を開閉する二位置切り替え方式の摘み部の何れかが、上方へ向かって一体に備わっている構成（請求項４）を採用できる。
このように、前記保持筒の周壁外周面に設けられた雄ねじに螺合される雌ねじを内周面に備えた摘み部を一体に備えた場合には、ねじ同士の螺合によって、キャップの機密性をより一層高めることができる上で望ましい。また、前記保持筒の周壁外周面と容器軸線方
向に沿って相対スライドして前記揮散性薬剤流下路を開閉する二位置切り替え方式の摘み部を一体に備えた場合には、キャップの形状が簡素になり、製造加工が容易で廉価に提供でき、併せて流下口の開栓操作を迅速で、かつ、簡単に行える上で望ましい。
【００２４】
本発明では、請求項５に記載のように、揮散体は、容器の肩部分に対して着脱自在に構成され、かつ前記キャップ及び揮散性薬液を供給する前記供給芯の周囲を囲う揮散皿に配置収容されている構成を採用できる。
このような構成を採用することによって、図２、図５、更には図７に示されるように、供給芯の全周囲がこの揮散皿で覆われ、外圧、外力から保護される。したがって、従来の含浸材が露出するものと違って、供給芯を不用意に損壊、圧壊するおそれが全くなくなる。その結果、供給芯は揮散体にもしっかりと接触し、所期の目的の一つである、終始安定した揮散機能を発揮させる、を効果的に奏することができる。
【００２５】
【発明の実施の形態】
（第１の実施の形態）
発明の第１の実施の形態を図を参照して説明する。
図１は、本発明に係る倒立型揮散性薬剤発散器の要部の縦断面図、図２は、倒立型揮散性薬剤発散器の分解斜視図、図３、図４は、揮散皿の断面図と平面図、図５は、閉栓状態を示す要部の縦断面図である。
本第１の実施の形態に示される倒立型揮散性薬剤発散器１は、図２に示されるように、内部に揮散性薬剤２の一例である芳香剤（以下単に揮散性薬剤という）を収容し、かつ、口部３を下方に向けほぼ密閉された倒立型の容器４と、口部３の下方位置に濾紙（揮散体に相当する）５を配置するべく、これを収容し、かつ容器４の肩部分に対して着脱自在に構成された揮散皿６と、容器４の口部３を強嵌合により密閉するキャップ７と、このキャップ７に保持され、容器４内の揮散性薬剤２を揮散皿６内の濾紙５に供給する吸液性を備えた供給芯８とを備えている。
【００２６】
図１に示されるように、キャップ７は、その中央に流下口９が設けられている。この流下口９は、キャップ７の天板７ａの中央に穿設された揮散性薬剤流下路７ｂと、ボタン保持筒１０内に形成される円筒空間１０ａで構成されている。この保持筒としてのボタン保持筒１０は、キャップ７の天板７ａから、この揮散性薬剤流下路７ｂと同芯状で、内径が揮散性薬剤流下路７ｂよりも大径に寸法設定され、かつ、下方開放の円筒体で構成されて一体的に突設されている。
【００２７】
このボタン保持筒１０には流下口９を開閉するボタン１１が装着されている。このボタン１１は、ボタン保持筒１０に内嵌合される裾部１２と、その外周面から前記ボタン保持筒１０の肉厚分の間隔を開け、この裾部１２の下端縁から上方に向かって一体に連なる摘み部１３とから構成される。また、この裾部１２は、円筒形状で内部に前記供給芯８を保持する供給芯保持筒１４と、この供給芯保持筒１４の内部上端部分に一体に設けられた栓体１５で構成される。摘み部１３の外周面には、このボタン１１の回転操作を行いやすくするために、ローレット１３ａが刻まれている。
【００２８】
供給芯保持筒１４は、中心から外周壁までの径が、ボタン保持筒１０の内径とほぼ同じになるように寸法設定されていて、この供給芯保持筒１４の外周面が、常時前記ボタン保持筒１０の内周面に水密的に摺接するように構成されている。この構成は、揮散性薬剤流下路７ｂから自由落下により流下する揮散性薬剤２が、キャップ７から不用意に漏洩するのを未然に防止するためと、揮散性薬剤２が流下して、倒立型容器４内が陰圧になったときの、大気の瞬間的な侵入を許容するための配慮である。
【００２９】
また、栓体１５は、キャップ７の揮散性薬剤流下路７ｂの内径とほぼ同寸で、上端をこ
の供給芯保持筒１４の上縁よりも上方に突設させて設けられている。閉栓時に、この揮散性薬剤流下路７ｂに強嵌合して、倒立型容器４から揮散性薬剤２が不用意に漏洩するのを防止するためである。更に、この栓体１５は、下端部分の周囲複数カ所をバンド１６によって、この供給芯保持筒１４の内周面に一体に連設される。したがって、バンド１６同士の間には、前記揮散性薬剤流下路７ｂと、この供給芯保持筒１４の内部とを連通させる揮散性薬剤流下連通口１７が形成されることになる。そして、この供給芯保持筒１４の内部には、前記供給芯８が収納されている。収納された供給芯８は、その下端を、この供給芯保持筒１４の下縁よりやや下方に突出させ、また、上端を栓体１５の下面と揮散性薬剤流下連通口１７の下方開口に当接させている。
【００３０】
ボタン保持筒１０の外周面には雄ねじ１８が設けられ、摘み部１３の内面には雌ねじ１９が設けられ、両ねじの螺合によって、ボタン１１がこのボタン保持筒１０に保持される。この両ねじの相対的なねじ込みによって、栓体１５がキャップ７の揮散性薬剤流下路７ｂに強嵌合される。このことによって、この揮散性薬剤流下路７ｂの液密、気密がしっかりと保たれ、倒立型容器４内の揮散性薬剤２がキャップ７から不用意に漏洩することを未然に防止する。また、逆にネジを緩めることによって、栓体１５がキャップ７の揮散性薬剤流下路７ｂから下方へ抜け出て離間するので、揮散性薬剤流下路７ｂを開放する。
【００３１】
摘み部１３と供給芯保持筒１４の連結部位２３には、大気に開放された小さな通気孔２４が、図例では左右２個所に穿設されている。
【００３２】
図２、図３に示されるように、揮散皿６は、周壁全周にわたって多数個の揮散窓２０が設けられている。また、図３、図４に示されるように、内部底面上面と周壁内周面にわたって濾紙５が敷設されている。更に、内部底壁上面には，収容される濾紙５の移動を防止する位置決め突起２１が、周囲四箇所にはこの濾紙５の立上り部分５ａを背面から保持する支え部材２２が設けられている。
【００３３】
また、図１に示されるように，ボタン１１のねじを緩める限界位置、つまりボタンの下降限界位置はノッチ２５によって制限されていて、ボタン１１が不用意にボタン保持筒１０から離脱するのを防止している。
【００３４】
以上のような構成を有する第１の実施の形態によれば、次のような作用効果を奏する。
工場出荷後の運搬時や店頭陳列時などでは、ボタン保持筒１０の雄ねじと摘み部１３の雌ねじ１９がねじ込まれていて、栓体１５がキャップ７の揮散性薬剤流下路７ｂに強嵌合されている。揮散性薬剤流下路７ｂ、つまり流下口９の液密、気密をしっかりと保ち、倒立型容器４内の揮散性薬剤２がキャップ７から不用意に漏洩することを未然に防止している（図５）。
【００３５】
また、逆にネジを緩めることによって、栓体１５がキャップ７の揮散性薬剤流下路７ｂから下方へ抜け出て離間するので、揮散性薬剤流下路７ｂを開放する。この揮散性薬剤流下路７ｂの開放により、倒立型容器４内の揮散性薬剤２は、自由落下により、この揮散性薬剤流下路７ｂからボタン保持筒１０の円筒空間１０ａ内に流下する。引き続き、自由落下により、揮散性薬剤流下連通口１７から供給芯８に供給される。供給芯８にしみ込んだ揮散性薬剤２は、更にこれを流下して、揮散皿６内に敷設された濾紙５に供給される。したがって、供給芯８並びに濾紙５の内部には、揮散性薬剤２が飽和する。濾紙５からの揮散性薬剤２の揮散に応じて、倒立型容器４内の揮散性薬剤２が流下口９、そして供給芯８を介して濾紙５に随時供給される。その結果、倒立型容器４内の揮散性薬剤２は、揮散皿６の揮散窓２０を通じて、大気中に徐々に揮散される（図２）。
【００３６】
ところで、ボタン保持筒１０と供給芯保持筒１４は、相互にその周壁面を水密的に摺接
させているので、両周壁面から液体である揮散性薬剤２がキャップ７外方へ不用意に漏洩するおそれは全くない。
【００３７】
倒立型容器４内から揮散性薬剤２がある程度流出すると、必然的に倒立型容器４内は陰圧になり、普通であれば揮散性薬剤２の流下が阻害されることになる。しかし、ボタン保持筒１０と供給芯保持筒１４は、相互にその周壁面を水密的に摺接させているだけで、厳密な気密には構成されていない。したがって、倒立型容器４内と大気圧との圧力差によって、ボタン保持筒１０と供給芯保持筒１４の互いに摺接する周壁面の間を介して、大気が瞬間的にボタン保持筒１０内に吸い込まれる。吸い込まれた大気は気泡となって、揮散性薬剤流下連通口１７から揮散性薬剤流下路７ｂを介して倒立型容器４内に至り、倒立型容器４内を常圧に戻す。したがって、定常的な揮散性薬剤の揮散を可能にする。
【００３８】
併せて、倒立型容器４内が陰圧になってくると、揮散性薬剤２の流下が少なくなる傾向をみせる。このため、供給芯８並びに揮散体５に保持されている揮散性薬剤も揮散が進んで必然的に少なくなる傾向を見せる。その結果、供給芯８は，揮散性薬剤が飽和されているときに比べ、供給芯保持筒１４の周壁を内側から支持する力、つまり筒外方から内方へかかる圧力に対する支持力がやや弱くなる傾向が見られる。この供給芯８の供給芯保持筒１４の周壁に対する支持力のわずかな変化によっても、ボタン保持筒１０と供給芯保持筒１４の互いに摺接する周壁面の間を介して、大気が瞬間的に吸い込まれることになる。
【００３９】
また、この大気の吸引は、ねじの隙間からも行われるが、図示されたような通気孔２４がある場合は、一層効率の良い吸気が可能となる。
【００４０】
（第２の実施の形態）
続いて、第２の実施の形態について図を参照して説明する。
なお、第１の実施の形態の倒立型揮散性薬剤発散器１と同一の構成については、第１の実施の形態と同一の符号を付して説明を省略する。
【００４１】
第２の実施の形態の倒立型揮散性薬剤発散器２０１は、図６並びに図７に示されるように、前記第１の実施の形態の基本構成において、第１に、供給芯保持筒１４が揮散性薬剤流下路７ｂの栓体を兼用させた点に違いがある。また，第２に、栓体１５を揮散性薬剤流下路７ｂに対して嵌脱させるのに、ボタン保持筒１０に対して供給芯保持筒１４、つまりボタン１１を摺接スライドさせて行うようにした点に違いがある。
以下、具体的な構成を、図６に示される構成に基づいて説明する。
【００４２】
まず、キャップ７の天板７ａの中央に、周方向に断続して、平面視部分円弧状の複数個の長孔２０２が設けられ、これが揮散性薬剤流下路７ｂとして機能するように構成されている。いずれの長孔２０２もキャップ７の中心から等距離にある。これらの長孔２０２の外周面は、キャップ７の中心からボタン保持筒１０の半径と同等の距離を隔てた位置にあるように寸法設定されている。また，内周面は、キャップ７の中央から下方に一体に突設された円柱体２０３の外周面で形成される。この円柱体２０３は、周方向複数箇所がバンド２０４を介してキャップ７の天板７ａに一体に設けられている。したがって、このバンド２０４間に形成される孔が、前記平面視部分円弧状の長孔２０２で、揮散性薬剤流下路７ｂとして機能するように構成されている。
【００４３】
バンド２０４の上下寸法は，キャップ７の天板７ａと同等の厚みに設定されていると共に、円柱体２０３は更に下方に所定の長さ延長される。そして、ボタン保持筒１０の内周面との間に環状の揮散性薬剤流下通路１７が形成される。この揮散性薬剤流下通路１７の通路幅は、供給芯保持筒１４の肉厚と同等に寸法設定されている。供給芯保持筒１４の上端部分が所定の長さでこの揮散性薬剤流下通路１７内に強嵌合し、倒立型容器４から揮散
性薬剤２が不用意に漏洩するのを防止するためである。したがって、この供給芯保持筒１４の上端部分が栓体１５の機能を果たすことになる。
【００４４】
また、摘み部１３は、供給芯保持筒１４との間隔がボタン保持筒１０の肉厚と同等に寸法設定されて、この供給芯保持筒１４に一体に連設されている。そして、供給芯保持筒１４と摘み部１３でこのボタン保持筒１０を内外から水密的に挟持しながら、このボタン保持筒１０に対して上下方向に摺接するように構成されている。また、その上下摺接移動の下端位置は、同様にノッチ２５によって制限され、ボタン１１が不用意にボタン保持筒１０から離脱するのを防止している。更に、この摘み部１３は、図示されるように、下端部分の全周に張出し摘み１３ｂを一体に備え、ボタン１１の上下スライドがスムーズに、また、軽快に行われるように構成されている。
【００４５】
また、第２の実施の形態においては、供給芯８は、図示されるよう、供給芯保持筒１４の下端部分に嵌合装着される。
【００４６】
この第２の実施の形態においても、図示しないが、第１の実施の形態と同様に、摘み部１３と供給芯保持筒１４との連結部位２３に、大気に開放された小さな通気孔２４が穿設された構成を採用できる。
【００４７】
以上のような構成を有する第２の実施の形態によれば、次のような作用効果を奏する。
工場出荷後の運搬時や店頭陳列時などでは、ボタン保持筒１０に対してボタン１１は上昇限界位置にまで押しあげられていて、供給芯保持筒１４の上端部分、つまり栓体１５が環状の揮散性薬剤流下通路１７内に強嵌合されている。揮散性薬剤流下通路１７、つまり流下口９の液密、気密をしっかりと保ち、倒立型容器４内の揮散性薬剤２がキャップ７から不用意に漏洩することを未然に防止している（図７）。
【００４８】
また、ボタン１１を下降限界位置にまで引き下げることによって、供給芯保持筒１４の上端部分が環状の揮散性薬剤流下通路１７内から下方に離脱、離間するので、揮散性薬剤流下通路１７を開放する。この揮散性薬剤流下通路１７の開放により、倒立型容器４内の揮散性薬剤２は、自然落下によって、複数個の長孔２０２、つまり揮散性薬剤流下路７ｂから揮散性薬剤流下通路１７を介して、ボタン保持筒１０の円筒空間１０ａに流下する。引き続き、自由落下により、供給芯保持筒１４内へ流下し、供給芯８に供給される。供給芯８にしみ込んだ揮散性薬剤２は、更にこれを流下して揮散皿６内に敷設された濾紙５に供給される。したがって、供給芯８並びに濾紙５の内部には、揮散性薬剤２が飽和する。濾紙５からの揮散性薬剤２の揮散に応じて、倒立型容器４内の揮散性薬剤２が、流下口９そして供給芯８を介して濾紙５に随時供給される。その結果，倒立型容器４内の揮散性薬剤２は、揮散皿６の揮散窓２０を通じて大気中に徐々に揮散される（図６）。
【００４９】
ところで、ボタン保持筒１０と供給芯保持筒１４は、相互にその周壁面が水密的に摺接させているので、両周壁面から液体である揮散性薬剤２がキャップ７外方へ不用意に漏洩するおそれは全くない。
【００５０】
倒立型容器４内から揮散性薬剤２がある程度流出すると、必然的に倒立型容器４内は陰圧になり、普通であれば揮散性薬剤２の流下が阻害されることになる。しかし、ボタン保持筒１０と供給芯保持筒１４は、相互にその周壁面を水密的に摺接させているだけで、厳密な気密には構成されていない。したがって、倒立型容器４の陰圧と大気圧との圧力差によって、ボタン保持筒１０と供給芯保持筒１４の互いに摺接する周壁面の間を介して、大気が瞬間的にボタン保持筒１０内に吸い込まれる。吸い込まれた大気は気泡となって、揮散性薬剤流下連通口１７そして平面視部分円弧状の複数個の長孔２０２、つまり揮散性薬
剤流下路７ｂから倒立型容器４内に至り、倒立型容器４内を常圧に戻す。したがって、定常的な揮散性薬剤の揮散を可能にする。大気の吸引は、摘み部１３とボタン保持筒１０の隙間からも行われるが、図示されたような通気孔２４がある場合は、一層効率の良い吸気が可能となる。
【００５１】
なお、前記第１の実施の形態において、必要に応じて以下の変形例を採用するのが望ましい。すなわち、図８に示されるように、栓体１５の先端（上端）が先鋭になるように形状（竹を袈裟懸け状に切断したときのような形状）に形成され、開栓状態では、この先鋭な先端１５ａが、ほぼ揮散性薬剤流下路７ｂの下縁に接するように寸法設定されている。このようにすることによって、表面張力によって、たとえ揮散性薬剤流下路７ｂの下縁に揮散性薬剤が水滴状になって滞留するようなことがあったとしても、この栓体１５の先鋭な先端１５ａによって、この水滴を突き刺して表面張力を破壊し、流下を促すように働く。したがって、所期の目的の一つである、終始安定した揮散機能を発揮させる、を効果的に奏することができる。
【００５２】
なお、ボタン保持筒１０に対してボタン１１を昇降させる手段は、第１の実施の形態に示されるねじ式と第２の実施の形態に示される摺接スライド式とは相互に転用することが可能である。また、キャップ７を倒立型容器４の口部３に取り付ける手段も、液密、気密が所期通り保てるのであれは、強嵌合に代えてねじ式を採用できる。
【００５３】
また、揮散性薬剤としては、芳香剤の他、消臭剤、更にはこの発明の目的を逸脱しない範囲において、各種のものが採用される。
【００５４】
更に、揮散体５を収容する揮散皿６が各実施の形態に示されるような構成、つまり倒立型容器４の肩部分に対して装着される構成を備えていると、図２、図５更には図７に明記するように、供給芯８の全周囲とキャップ４の全周がこの揮散皿６で覆われ、外圧、外力から保護される。したがって、従来の含浸材が露出するものと違って、供給芯８を不用意に損壊、圧壊するおそれが全くなくなる。その結果、供給芯８は揮散体５にもしっかりと接触し、所期の目的の一つである、終始安定した揮散機能を発揮させる、を効果的に奏することができる。
【図面の簡単な説明】
【図１】  本発明に係る倒立型揮散性薬剤発散器の第１の実施の形態を示し、開栓状態を示す要部の拡大断面図である。
【図２】  本発明に係る倒立型揮散性薬剤発散器の全体分解斜視図である。
【図３】  本発明に係る倒立型揮散性薬剤発散器の第１の実施の形態を示し、揮散皿の構造を示す拡大断面図である。
【図４】  図４に示された揮散皿の平面図である。
【図５】  本発明に係る倒立型揮散性薬剤発散器の第１の実施の形態を示し、閉栓状態を示す要部の拡大断面図である。
【図６】  本発明に係る倒立型揮散性薬剤発散器の第２の実施の形態を示し、開栓状態を示す要部の拡大断面図である。
【図７】  本発明に係る倒立型揮散性薬剤発散器の第２の実施の形態を示し、閉栓状態を示す要部の拡大断面図である。
【図８】  本発明に係る倒立型揮散性薬剤発散器の第１の実施の変形例を示し、開栓状態を示す要部の拡大断面図である。
【図９】  従来の正立型芳香剤容器の概略説明である。
【符号の説明】
１、２０１…倒立型揮散性薬剤発散器，２…揮散性薬剤、３…口部，４…倒立型容器，５…揮散体、７…キャップ，７ａ…天板，７ｂ、２０２…揮散性薬剤流下路，８…供給芯，９…流下口，１０…ボタン保持筒，１１…ボタン，１２…裾部，１４…供給芯保持筒，１５…栓体。
【図１】
0004625569.tif 000002
【図２】
0004625569.tif 000003
【図３】
0004625569.tif 000004
【図４】
0004625569.tif 000005
【図５】
0004625569.tif 000006
【図６】
0004625569.tif 000007
【図７】
0004625569.tif 000008
【図８】
0004625569.tif 000009
【図９】
0004625569.tif 000010